(57)【要約】      （修正有）【課題】既存の俳句、短歌、諺、詩、歌詞などの既成の文を少なくとも２つに分け、それを再度組み合わせる知的ゲーム、あるいは異なる既成文の部分部分が組み合わさることで新たな文ができることを楽しむ知的遊戯によって、利用者の知力活性を図ることが可能な文合わせブロックを提供する。【解決手段】少なくとも２つの互いに平行な平面と、それらと直角に接する面であり該平行な面同士を結ぶ側面４を持つブロック１であって、該側面４には既成文の１文を少なくとも２つに分けた短文であり異なる既成文から作成された短文が、１個のブロック１に２つ以上記載されている。使用においては、そのブロック１を少なくとも２個を使い組み合わせる。【選択図】図１
2019076532.tif 000002
【特許請求の範囲】
【請求項１】
少なくとも２つの互いに平行で文字の記載のない平面と、それらと直角に接する面であり該平行な面同士を結ぶ側面を持つブロックであって、
該側面には、既成文の１文を少なくとも２つに分けた短文であって異なる既成文から作成された短文が、１個のブロックに２つ以上記載されており、
該ブロックが少なくとも２個が組み合わされることを特徴とする、既成文組み合わせブロック。
【請求項２】
ブロックの天面形状が正多角形で、１つ１つの平面である側面に異なる既成文から作成された少なくとも３つの短文が記載されたことを特徴とする、請求項１に記載の既成文組み合わせブロック。
【請求項３】
ブロックの天面形状が正方形で、側面に異なる４つの既成文から作成された４つの短文が記載されたことを特徴とする、請求項１に記載の既成文組み合わせブロック。
【請求項４】
ブロックの天面形状が円形であることを特徴とする、請求項１に記載の既成文組み合わせブロック。
【請求項５】
既成文を取り込む処理手段と、
取り込んだ既成文のデータを、句読点、文脈などから短文化するステージと、
短文化により生成された短文を、既成文の配置別に分別するステージと、
分別された短文データを、組み合わせるステージと
組み合わされた文のデータを出力させるステージを持つ
アプリケーションプログラム。
【発明の詳細な説明】
【技術分野】
【０００１】
本発明は、少なくとも一組の平行面を有し、その一組の平行面以外の面に既成文を分けた短文が記載された複数のブロックを適宜配置することで元の既成文や、異なる既成文の短文の組み合わせ文を作成する、文組み合わせブロックに関するものである。
【背景技術】
【０００２】
ブロックに文字を記載し、その配置配列により、文章や数式を作成するものとしては、特許文献１（実用新案登録第３１２１０６３号公報）、特許文献２（特許第５２４５１５１号公報）、特許文献３（特許第６１６４５６３号公報）、特許文献４（実用新案登録第３１３１６４６号公報）が、公知である。
特許文献１「積木玩具」は、各面に絵、文字等を印字した立方体（正六面体）のブロック玩具を開示し、立方体（正六面体）のブロック玩具の連続配置により文字列、連続する絵柄列を形成することを開示している。
特許文献２「文書作成教育用積木玩具」は、多数の立方体と多数の長方体とを有しその選択配列により文章を作成する文章作成玩具を開示している。
特許文献３「学習教材玩具」は、それぞれ異なる１文字が割り当てられた複数枚の文字カードを並べ、言葉を作成することを開示している。
特許文献４「知育用積木」は、積木片の意匠面が、所定面積値に整数値を乗じて得られる面積値となるように形成され、かつ、面積値を得るために前記所定面積値に乗じられる整数値が表示されていることを開示している。
【先行技術文献】
【特許文献】
【０００３】
【特許文献１】実用新案登録第３１２１０６３号公報
【特許文献２】特許第５２４５１５１号公報
【特許文献３】特許第６１６４５６３号公報
【特許文献４】実用新案登録第３１３１６４６号公報
【発明の概要】
【発明が解決しようとする課題】
【０００４】
特許文献１および特許文献２は、立方体（正六面体）の六面に単語が記載されたブロックを含め、ブロックに記載された単語を組み合わせて文を作ることを課題としており、既成の文を分けたものを組み合わせて、文を作ることは開示されていない。
本発明は、既成の俳句、短歌、諺、詩、歌詞などの既成の文を少なくとも２つに分け、それを再度組み合わせる知的ゲーム、あるいは異なる既成の文の部分部分が組み合わさることで新たな文ができることを楽しむ知的遊戯によって、利用者の知力活性を図ることを課題とする。
【課題を解決するための手段】
【０００５】
本発明は、少なくとも２つの板状または柱状ブロックからなる。
板状または柱状ブロックは、少なくとも２つの互いに平行な文字記載のない平面を有するブロックであって、それらと直角に接する面であって該平行な面同士を結ぶ面（以下「側面」と称する）を持つブロック（以下単に「ブロック」と称する）である。２つの互いに平行な平面は、仮に上方の平面を天面と称し、下方の平面を底面と称する。
ここで「仮に」とした理由は、使用する複数のブロックを９０°横に傾け使用した場合は、天面、底面ではなく右面、左面と称すべきものになるが、本発明の説明においては、９０°横に傾け使用する場合の説明を省略しているためであり、常に上方の平面あるいは下方の平面があるわけではない。
【０００６】
ブロックの側面には、既成の文、例えば、俳句、短歌、諺、名言、詩、歌、歌詞、家訓、漢詩、熟語、挨拶文などの１文（以下「既成文」と称する）を少なくとも２つに分けた短い文（以下「短文」と称する）が、２つ以上記載されている。ただし、１個のブロックには、同じ既成文を分けた短文は、基本１つしか記載されない。
１個のブロックに、同じ既成文を分けた短文が複数ある場合は、使用に必要となるブロック数が増えたり、組み合わせ方が幾通りもできて組み合わせの面白さが減少する。
【０００７】
ブロックの天面と底面には、既成文も短文も記載されない。
使用するブロックの数は、既成文を短文に分けた数以上になる。すなわち、短文が既成文を２つに分けたものである場合は少なくとも２個のブロックを、短文が既成文を３つに分けたものである場合は少なくとも３個のブロックを、短文が既成文を５つに分けたものである場合は少なくとも５個のブロックを使って使用する。
なお使用するブロックのセットにおいて、既成文の分割数は、同一となっているのが好ましいが、既成文により分割数が異なる場合も出てくる。その場合は、分割数が少ない既成文の短文にプラスして、空の（記載しない）短文が有るとみなして、記載なしで扱う。
【０００８】
ブロックの平面形状は、使用セット単位でほぼ同形状とする。これは、積み重ねて使用する場合に揃えやすく、記載文字が読みやすくするためで、必須の要件ではない。
【０００９】
ブロックの使用方法は、上下に積み重ね並べるか平面的に並べるかのどちらかであある。
上下に積み重ねる場合は、短文が上下に１列に並ぶように並べる。上下に並べられた短文が既成文になるように並べる並べ方と、既成文とは異なる並べ方とがある。
平面的に並べる場合は、１つの短文が正面に来るように並べる。左右に並んだ短文が既成文になるように並べる並べ方と、既成文とは異なる並べ方とがある。
【００１０】
本願第２発明は、ブロックの天面形状が正多角形で、側面に異なる既成文から作成された少なくとも３つの短文が記載されたブロックを、少なくとも２個有するものである。
正多角形が、３角形、４角形、６角形である場合は、ブロックを平面的に隙間なく敷き詰めることができる。
縦に積んだ場合は、側面の平面が揃うように、上下の２個のブロックを回転させることで、短文の組み合わせが角の数の２乗の数できることになる。
短文は縦書きで記載される場合も、横書きで記載される場合もあるが、使用セット単位で統一されていることが好ましい。
【００１１】
本願第３発明は、ブロックの天面の形状が正方形で、側面に異なる既成文から作成された４つの短文が記載されているブロックを、少なくとも２個有するものである。１個のブロックに、同じ既成文の短文が記載されない場合は、使用セット単位は少なくとも４ブロックになる。
ブロックの大きさが同じである場合は、天面の形状が正方形であることから、縦に積んだ側面形状は長方形になり、横に並べた場合の側面形状も長方形になるので、積んだり並べたりしやすく、短文を続けて読む場合も読み易い。
【００１２】
本願第４発明は、天面の形状が円形で、側面に複数の短文が同じ数だけ記載されているブロックを、少なくとも２個有するものである。
縦に積んだ場合は、短文が揃うように、ブロックが重ねられる。積んだ上下の２つのブロックを短文が上下に揃うように回転させることで、短文の数の２乗の組み合わせができることになる。
ブロックは、回転させるときに上下がずれないよう、上下のブロックを貫く軸が設けられたり、重ね合わせ面に円状の凹凸が設けられていてもよい。また、印籠式円筒箱のように、下のブロックは箱の身に相当した形で、上のブロックは箱のフタに相当する形でもよい。
この場合、下のブロックの天面は印籠式円筒箱のフタを受ける縁口に相当する部分であり、上のブロックの底面は印籠式円筒箱のフタの下側縁口に相当する部分になる。
【００１３】
本願第５発明は、ブロックで実施した、既成文の短文化と短文の組み合わせを電子的に実施したもので、図８に示すように、以下のフロー（ステージ）で処理される。
（１）既成文の入力は、外部からインターネットなどの通信手段を通じて文字データとして取り込むものであっても、キーボードなどの入力装置により入力するもので合っても、内蔵データベースなどから選択などにより取り込むものでもよい。
（２）取り込んだ既成文データは、データに組み込まれたフラグなどのマークか、句読点、文字レイアウト、文脈などから自動的に短文化されるか、使用者が手動で処理することで短文化される。
（３）短文化により生成された短文は既成文の配置別、例えば、上下、上中下、１番目２番目３番目４番目のようにに分別される。
（４）分別された短文は、分別された中でランダムもしくは、順序入換えで組み合わされる。
（５）組み合わされた文がディスプレイに表示されたり、プリンターで印刷されたり、音声合成で発声されたりして、出力される。
【発明の効果】
【００１４】
本願発明は、従来技術のように、文章を作成するものではなく、既成文を利用するものであるため、文章作成の学習には向いていないが、既成文の記憶や学習には有効である。
【図面の簡単な説明】
【００１５】
【図１】実施例１のブロックを示す図
【図２】実施例１のブロックを縦に積んだところを示す図
【図３】実施例１のブロックを横に並べたところを示す図
【図４】実施例２に示す本願発明を示す図
【図５】実施例３に示す本願発明を示す図
【図６】実施例４に示す本願発明を示す図
【図７】実施例５に示す本願発明の断面端面図
【図８】実施例６に示す本願発明の断面端面図
【図９】短文組み合わせアプリケーションのフロー図
【実施例】
【００１６】
実施例１について図１、図２、図３を参照しながら説明する。
図１は、本願の最も基本的な形のブロック１である。ブロック１の側面４には、４つの既成文５が各々２つに分けられた、計８つの短文６が、２個のブロック１の８つの側面４に記載されている。ブロック１を２個使うことで文合わせるができる。
図２は、ブロック１を縦に２個積んで、文合わせをしているところを示す。
図３は、ブロック１を横に２個並べて、文合わせをしているところを示す。
【００１７】
図４に実施例２を示す。
ブロック１-２は木製で、合計２５個あり、木目を組み合わせた状態で縦に５列、横に５列並んでいる。この並びで、前面の５つの側面４-２１に、百人一首の五七五七七の短歌の短文（言葉）が１つづつ記載されている。横１列の５個のブロック１-２の前後の側面３-２１に２首、横５列で計10首、縦１列の５個のブロック１-２の左右の側面４-２２に２首、縦５列で計１０首、２５個のブロック１-２全体で、合計２０首の短歌が記載されている。
ブロック１-２の天面２-２には木目が表れており、木目合わせのパズル（特願2016-072871）として遊ぶことができるが、木目の組み合わせはかなり難しいので、木目合わせのヒントや、木目が合っているかどうかの確認のために、短文６-２が役に立つ。
なお、任意に５個のブロック１-２を取り出し並べて、新たな歌を作り楽しむこともできる。
【００１８】
図５に実施例３を示す。
ブロック１-３の天面2-３は正６角形で、側面４-３は縦に長く、ブロック１-３は柱状である。上のブロック１-３の側面４-３ｕには、６つの４字熟語の既成文５-3をそれぞれ２分した上側の短文６-３ｕが縦に記載されている。同様に下のブロック１-３の側面４-３dには、６つの４字熟語の既成文５-3をそれぞれ２分した下側の短文６-３dが縦に記載されている。
上下２個のブロック1-３の中央には小さな穴７があり、軸８-１が通っている。ブロック１-３は、軸８-１を中心に、側面４-３を合わすことで、上下のブロック１-３に記載された短文６-３が縦一列に並び、文ができる。その文が既成文5-３とならなかった場合は、上下のブロック１-３を軸８-１を中心に６０°回転させると新たな文ができ、300°回転させるまでに、既成文５-3を生成することができる。
【００１９】
図６に実施例４を示す。
円筒形の上のブロック１-４ｕの側面４-４ｕには、既成文であるいろはかるたの諺5-4を２つに分けた上の短文６-４ｕが、下のブロック１-４ｄの側面４-４dには下の短文６-４dが記載されている。
ブロック１-４に記載するいろはかるたの諺5-4は、２つ以上任意の数でよいが、あまり多いと文字が小さくなり好ましくない。
上のブロック１-４ｕと下のブロック１-４ｄを円柱の軸を中心に回転させることで、実施例３と同様、いろはかるたの諺5-4を組み合わせることができる。
なお、上のブロック１-４ｕの短文６-４ｕは下揃えで記載され、下のブロック１-４ｄの短文６-４dは上揃えに記載されていると、上下の短文が繋がり、読み取り易くなる。
【００２０】
図７に実施例５の縦断面の端面を示す。ブロック１-５は、上中下の３個に分かれており、上のブロック１-５uと中のブロック１-５mの底面は凹んでおり、中のブロック１-５ｍと下のブロック１-５ｄの天面は凸となっている。この凹凸により、円筒形のブロック１-５を軸をぶらさず回転させることができる。
【００２１】
図８に実施例６の縦断面の端面を示す。使用する時は、上のブロック１-６ｕと下のブロック１-６ｄを組み合わせる。上のブロック１-６ｕは印籠式箱のフタの形をしており、その底面３-６ｕは破線で示されている。下のブロック１-６ｄは印籠式箱の身の形をしており、その天面２-６ｄは破線で示されている。
印籠式箱の形により、上下のブロック１-６を、その円筒の軸をぶらさず回転させることができる。
【産業上の利用可能性】
【００２２】
短文の記載は、印刷の他、レーザーによるマーキング、刻印、印刷シールの貼り付けなどによる。また、言語は日本語に限らない。点字を突起で表示させた場合は視覚障碍者も使用できる。
【００２３】
なお、電子的に短文の組み合わせを行わせることで、本願発明と同様の知的ゲームや、知的遊戯アプリケーションを作成することもでき、スマートホンなどの携帯機器で使用することができる。
【符号の説明】
【００２４】
１    ブロック
１-２    正方形のブロック
１-３    多角形のブロック
１-４    円筒形ブロック
１-４u    円筒形ブロックの上のブロック
１-４ｄ    円筒形ブロックの下のブロック
１-５    円筒形３段ブロック
１-５u    円筒形３段ブロックの上のブロック
１-５ｍ    円筒形３段ブロックのまん中のブロック
１-５ｄ    円筒形３段ブロックの下のブロック
１-６    印籠型ブロック
１-６u    印籠型ブロックの上のブロック
１-６ｄ    印籠型ブロックの下のブロック
２    天面
２-２    正方形のブロックの天面
２-３    多角形のブロックの天面
２-６ｄ    印籠箱身型の下ブロックの天面
３    底面
３-６u    印籠箱フタ型の上のブロックの底面
４    側面
４-２１  正方形のブロックの正面の側面
４-２２  正方形のブロックの横面の側面
４-３    多角形のブロックの側面
４-３ｕ    多角形の上のブロックの側面
４-３ｄ    多角形の下のブロックの側面
４-４ｕ    円筒形の上のブロックの側面
４-４ｄ    円筒形の下のブロックの側面
５    既成文
５-３    ４字熟語の既成文
５-４    既成文である諺
６    記載された短文
６-１    横向きに記載された短文
６-２    横向きに記載された短文
６-３    ブロックに縦向きに記載された短文
６-３ｕ    上のブロックに縦向きに記載された短文
６-３ｄ    下のブロックに縦向きに記載された短文
６-４ｕ    円筒形の上のブロックの側面に縦向きに記載された短文
６-４ｄ    円筒形の下のブロックの側面に縦向きに記載された短文
７    軸の穴
８-１    軸
８-２    軸になる印籠箱身型ブロックの口縁
【図１】
2019076532.tif 000003
【図２】
2019076532.tif 000004
【図３】
2019076532.tif 000005
【図４】
2019076532.tif 000006
【図５】
2019076532.tif 000007
【図６】
2019076532.tif 000008
【図７】
2019076532.tif 000009
【図８】
2019076532.tif 000010
【図９】
2019076532.tif 000011